(57)【要約】      （修正有）【課題】受付けを迅速に開設できると共に、受付けでの手続きの流れを容易に把握できるようにして、手続きを短時間で済ませて速やかに所要の場所へ移動できるようにするために、被災者が避難する避難所に受付けを開設する場合に好適な案内表示シートを提供する。【解決手段】案内表示シート１は、卓上に展開して載置可能に構成され、案内事項が表記された複数の案内表示部Ｂ，Ｄ，Ｆを行動順に長手方向に沿って設けてあり、各案内表示部Ｂ，Ｄ，Ｆには行動順の番号を記してあり、最初の案内表示部Ｂの上手に、受付け開始端であることを表記した看板表示部Ａを折り下げ可能に設けてあり、更に、隣接する案内表示部の間には、順路を示す矢印表記を備えた順路表示部Ｃ，Ｅ，Ｇを設けている。【選択図】図２
2019133062.tif 000002
【特許請求の範囲】
【請求項１】
卓上に展開して載置可能な案内表示シートであって、
なすべき行動を案内するための案内事項が表記された複数の案内表示部を備え、
前記複数の案内表示部が、前記行動の順に当該案内表示シートの長手方向に沿って設けられている、
ことを特徴とする案内表示シート。
【請求項２】
各案内表示部には、前記行動の順に番号が記されている、
請求項１に記載の案内表示シート。
【請求項３】
最初の案内表示部の上手に対応する、当該案内表示シートの前記長手方向の一端部には、受付け開始端であることを表記した看板表示部が、折り下げ可能に設けられている、
請求項１または２に記載の案内表示シート。
【請求項４】
前記案内表示部には、前記行動に必要な物の載置領域を空けて前記案内事項が表記されている、
請求項１ないし３のいずれか一項に記載の案内表示シート。
【請求項５】
隣接する前記案内表示部の間に、順路を示す矢印表記を備えた順路表示部が設けられている、
請求項１ないし４のいずれか一項に記載の案内表示シート。
【請求項６】
各表示部の境界を折り目として折り畳み可能である、
請求項１ないし５のいずれか一項に記載の案内表示シート。
【請求項７】
当該案内表示シートは、各表示部の境界を折り目として折り畳み可能であり、
前記行動に必要な物が、所要事項が記入される記入物であり、
前記記入物が投入可能な回収ボックスを兼ねる箱形のパッケージに、当該案内表示シートが折り畳み状態で収容梱包可能である、
請求項４に記載の案内表示シート。
【発明の詳細な説明】
【技術分野】
【０００１】
本発明は、所要場所に受付けを開設する場合に使用される案内表示シートに関し、特には、被災者が避難する避難所に受付けを開設する場合に好適な案内表示シートに関する。
【背景技術】
【０００２】
地震、火山の噴火などの自然災害の発生時に、被災者を避難誘導する方法として、携帯端末を利用する方法など、種々提案されている（例えば、特許文献１参照）。
【０００３】
避難誘導された被災者は、避難所としての学校の体育館などの公共の建物に収容されることが多いが、このような避難所では、被災者を迅速に受け付けて安全な場所に落ち着けるようにすることが望まれる。
【先行技術文献】
【特許文献】
【０００４】
【特許文献１】特開２００１−２１８２６６公報
【発明の概要】
【発明が解決しようとする課題】
【０００５】
避難所においては、スタッフに様々な役割が分担されることになり、避難所が開設された当初の限られたスタッフの数では、受付けに割り当てることのできる人員も少なくなることが多い。このため、受付けの開設までに時間を要し、その間、多数の被災者が待機しなければならなくなる。
【０００６】
一方、被災者は受付けで何をしたらよいのか分からず、円滑な受付けを行うことができず、長い行列ができて長時間待たなければならなくなったりする。
【０００７】
本発明は、このような点に鑑みて為されたものであって、受付けを迅速に開設できると共に、受付けでの手続きの流れを容易に把握できるようにして、手続きを短時間で済ませて速やかに所要の場所へ移動できるようすることを目的としている。
【課題を解決するための手段】
【０００８】
上記目的を達成するために、本発明では、次のように構成している。
（１）本発明の案内表示シートは、卓上に展開して載置可能な案内表示シートであって、なすべき行動を案内するための案内事項が表記された複数の案内表示部を備え、前記複数の案内表示部が、前記行動の順に当該案内表示シートの長手方向に沿って設けられている。
【０００９】
本発明によると、卓上、例えば、横長に設置したテーブル上に、案内表示シートを広げて置くだけで、速やかに受付けを開設することができる。また、受付けに来た人は、各案内表示部に表記された案内事項を見て何をすべきかが容易に判り、かつ、複数の案内表示部が並べられた順に移動して、表記された案内事項に従って行動することで、受付けを速やかに済ますことができる。
【００１０】
（２）本発明の好ましい実施態様では、各案内表示部には、前記行動の順に番号が記されている。
【００１１】
この実施態様によると、複数の案内表示部でなすべき行動を、記された番号に従って順序よく速やかに行うことができる。
【００１２】
（３）本発明の一実施態様では、最初の案内表示部の上手に対応する、当該案内表示シートの前記長手方向の一端部には、受付け開始端であることを表記した看板表示部が、折り下げ可能に設けられている。
【００１３】
この実施態様によると、案内表示シートの一端部に備えた看板表示部を折り下げてテーブルの長手方向の端部から垂れ下げることで、上から覗き込まなくても受付けの存在を周囲から容易に目視認識することができる。また、テーブル端部に垂れ下がっている看板表示部は、テーブルの前に人が立っていても見やすいので、後から来た人も受付けを容易に見つけることができる。
【００１４】
（４）本発明の他の実施態様では、前記案内表示部には、前記行動に必要な物の載置領域を空けて前記案内事項が表記されている。
【００１５】
前記行動に必要な物とは、案内事項によって案内される行動をとるために必要な物である。案内事項によって案内される行動が、例えば、名簿への名前の記入であれば、記入に必要な名簿であり、案内事項によって案内される行動が、配布物の受取りであれば、受け取る対象である配布物などである。
【００１６】
この実施態様によると、受付けに配属された慣れないスタッフでも、案内事項を見て、必要な物を把握できるので、必要な物を、間違いなくテーブル上の案内シートの所定位置に配置することができ、受付け開設を速やかに行うのに有効となる。また、案内表示部の前に立った人は、案内表示部に表記された案内事項の内容を判読して、目の前の物、例えば、名簿などへの名前の記入、あるいは、目の前に置かれた配布物の受取り、等を速やかに行うことができ、その分、スタッフによる説明の負担が軽くなる。
【００１７】
（５）本発明の一実施態様では、隣接する前記案内表示部の間に、順路を示す矢印表記を備えた順路表示部が設けられている。
【００１８】
この実施態様によると、複数の案内表示部への移動順序が一見して判り、なすべき行動を順序だてて速やかに行うことができる。また、隣接する案内表示部の間隔が順路表示部によって大きく空けられ、隣接する人が互いにぶつかることなく、当該案内表示シートの長手方向に沿って順次進むことができる。
【００１９】
（６）本発明の更に他の実施態様では、各表示部の境界を折り目として折り畳み可能である。
【００２０】
この実施態様によると、長手方向に沿って延びる当該案内表示シートをコンパクトに折り畳んで保管あるいは運搬することができ、受付け開設場所への搬入が容易になると共に、受付けを閉じた後にも嵩低く保管して、次の受付け開設に備えることができる。
【００２１】
（７）本発明の好ましい実施態様では、当該案内表示シートは、各表示部の境界を折り目として折り畳み可能であり、前記行動に必要な物が、所要事項が記入される記入物であり、前記記入物が投入可能な回収ボックスを兼ねる箱形のパッケージに、当該案内表示シートが折り畳み状態で収容梱包可能である。
【００２２】
この実施態様によると、パッケージに収容梱包した状態で受付け設置個所に搬入し、案内表示シートを取り出した後の空のパッケージを、所要事項が記入された記入物の回収に利用することができ、専用の回収ボックスを準備する必要がない。
【発明の効果】
【００２３】
このように、本発明の案内表示シートを用いることで、受付けを迅速に開設できると共に、受付けでの手続きの流れを容易に把握できるようにして、手続きを短時間で済ませて速やかに所要の場所へ移動できる。
【図面の簡単な説明】
【００２４】
【図１】図１は受付けセットの斜視図である。
【図２】図２は開設した受付けの斜視図である。
【図３】図３は本発明の一実施形態に係る案内表示シートの平面図である。
【図４】図４は入館者名簿の一例を示す平面図である。
【図５】図５はリストバンドの平面図である。
【図６】図６はリストバンドの装着手順を示す斜視図である。
【図７】図７はリストバンドの装着手順を示す斜視図である。
【図８】図８はリストバンドの装着手順を示す斜視図である。
【図９】図９は避難者カードの一例を示す平面図である。
【図１０】図１０は記入案内ファイルの斜視図である。
【図１１】図１１は開いた状態の記入案内ファイルの斜視図である。
【図１２】図１２は開いた状態の記入案内ファイルに避難者カードを挟み込み装填した状態を示す斜視図である。
【発明を実施するための形態】
【００２５】
以下、本発明の実施形態を図面に基づいて説明する。
【００２６】
この実施形態の案内表示シートは、災害時における避難所の受付け開設に利用するものであって、図１に示される受付けセットＳを構成する一つのアイテムとなっている。
【００２７】
図１に示すように、受付けセットＳには、本発明の一実施形態に係る案内表示シート１、避難所である、例えば体育館の入館者名簿２、リストバンド３、避難者カード４、及び、記入案内ファイル５、からなる複数種のアイテムが含まれている。これらアイテムが、箱形のパッケージ６に収容梱包されて自治体やボランティア団体などのユーザーに提供される。
【００２８】
以下、各アイテムについて詳細に説明する。
【００２９】
〔案内表示シート１〕
この実施形態の案内表示シート１は、図２に示すように、避難所の受付け開設箇所において、横長く設置されたテーブル７の上に展開して敷設されるものである。この実施形態の案内表示シート１は、例えば、上下幅が数十ｃｍ程度、横長さが２００ｃｍ程度に裁断された丈夫な紙製の横長シートである。
【００３０】
この案内表示シート１は、図３に示すように、その長手方向において７つの表示部Ａ〜Ｇに区分されていると共に、各表示部Ａ〜Ｇは、隣接する表示部との境界を折り目として、つづら折りに畳み込むことが可能となっている。
【００３１】
案内表示シート１の長手方向の一端側である左端の表示部Ａは、「まずはこちらへ」の文言と、太字で大きく書かれた「入館受付」の文言が横向きに表記された看板表示部となっている。図２に示すように、この看板表示部Ａを、右隣の表示部Ｂとの境界に形成された折り目に沿って下方に折り曲げて、テーブル７の左端部から垂れ下げる。これによって、テーブル７上がよく見えない周囲からでも被災者の入館手続きを行う「受付け」であることが容易に目視認識できる。
【００３２】
看板表示部Ａの右側に隣接する表示部Ｂ、及び、一つ置きの右側にある表示部Ｄ，Ｆは、受付けに来た被災者がなすべき行動を案内するための案内事項が表記された案内表示部となっている。また、三つの案内表示部Ｂ，Ｄ，Ｆの間にある二つの表示部Ｃ，Ｅ、及び、右端の表示部Ｇは、次に行くべき順路を示す順路表示部となっている。
【００３３】
左端の案内表示部Ｂは、最初になすべき行動を案内するものであることを示す案内番号「１」と、最初になすべき行動を案内するための案内事項である「名前を書く」の文言とが、案内表示部Ｂの上端側に偏って表記されている。これら表記箇所の下方に残された大きい空白領域には、名前を書くのに必要な物である入館者名簿の載置場所であることを示す「名簿置き場」の文言が表記されている。
【００３４】
その右側の案内表示部Ｄは、二番目になすべき行動を案内するものであることを示す案内番号「２」と、二番目になすべき行動を案内するための案内事項である「人数分取る」の文言とが、案内表示部Ｄの上端側に偏って表記されている。これら表記箇所の下方に残された大きい空白領域には、受け取る対象物であるリストバンドの載置場所であることを示す「リストバンド置き場」の文言が表示されている。
【００３５】
更にその右側の案内表示部Ｆは、三番目になすべき行動を案内するものであることを示す案内番号「３」と、三番目になすべき行動を案内するための案内事項である「カードを取る」の文言とが、案内表示部Ｆの上端側に偏って表記されている。これら表記箇所の下方に残された大きい空白領域には、受け取る対象物である避難者カードの載置場所であることを示す「避難者カード置き場」の文言が表示されている。
【００３６】
なお、図示されていないが、看板表示部Ａ及び各案内表示部Ｂ，Ｄ，Ｆにおける、案内事項の下には、英語に翻訳した文言が併記されている。
【００３７】
順路表示部Ｃ，Ｅには、右側に位置する次の案内番号「２」，「３」と、順路を示す矢印ｐが大きく表記されている。また、右端の順路表示部Ｇには、四番目になすべき行動を案内するための案内事項である「カードは記入後  回収ボックスへ」の文言と、順路を示す矢印ｐと、次の案内番号「４」とが表記されている。
【００３８】
また、７つの各表示部Ａ〜Ｇは、その境界の折り目の部分で切り取ることもでき、案内表示シート１を展開するテーブルの大きさなどに応じて各表示部Ａ〜Ｇを切り離して使用することができる。したがって、案内表示シート１を展開するテーブルの大きさなどによって使用が制限されることもない。
【００３９】
〔入館者名簿２〕
図４に、第１の案内表示部Ｂに置かれる入館者名簿２の一例が示されている。この入館者名簿２には、氏名と性別の記入欄が複数列（この例では２列）に亘って備えられている。記入欄の上部には、入館する全員の名前（フルネーム）の記入を指示する文言が表記されている。なお、入館者名簿２は、外国人の被災者にも記入してもらう必要があるので、記入項目が外国語、この例では、英語、中国語、韓国語でも表記されている。また、入館者名簿２は、風で飛び散ることのないように、天面を糊つけ接続した冊子状態で提供され、必要に応じて一枚ずつめくり取ることができるようになっている。
【００４０】
〔リストバンド３〕
図５に、第２の案内表示部Ｄに置かれるリストバンド３の一例が示されている。このリストバンド３は、表面が色分けされた複数種のものが多数枚ずつ準備されている。各色を所定枚（例えば、５０枚）ずつ用意して、受付けを済ませた避難者それぞれの腕に巻付け着用してもらうことで、残ったリストバンド３の数から、受け付けた避難者の人数を把握することが容易となる。また、リストバンド３の色ごとに避難者をグループ分けすることで、救援物資の配布、食事の分配、避難所での移動行動、等をグループ単位で行うのに便利となる。
【００４１】
なお、リストバンド３につける色としては見分けやすいものが望ましく、例えば、明るい色相である白色、赤色、みず色、緑色、オレンジ色、等が好適である。また、色覚障害の方にも色が容易に判るように、色の名称が日本語及び外国語でも表記されている。
【００４２】
リストバンド３は、例えば、幅が約３０ｍｍで、手首に巻きつけるに十分な長さを備えた紙製のものである。リストバンド３の一端側（図５では左端側）に偏った部位に湾曲した係止片３ａが切込み形成されると共に、先端には差込み突起３ｂが形成されている。また、他端側（図５では右端側）には複数の台形の切込み３ｃが、バンド長手方向に一定ピッチで形成されている。なお、係止片３ａには装着手順番号「１」が、また、差込み突起３ｂには装着手順番号「２」が付されており、以下のような手順で手首に装着する。
【００４３】
先ず、リストバンド３を手首に巻き付けて、図６に示すように、係止片３ａと差込み突起３ｂとを備えたバンド左端側が、切込み３ｃ群を備えたバンド右端側の上に重なるように位置させる。次に、上に位置する装着手順番号「１」が付されている係止片３ａを、図７に示すように、その下方に位置する切込み３ｃに差し込む。次に、図８に示すように、装着手順番号「２」が付されている差込み突起３ｂを、その下方に位置する切込み３ｃに差し込むことで、リストバンド３の左端側が捲り上がることを阻止する。
【００４４】
このようにして手首に巻付け装着されたリストバンド３は、バンド重なり部位が巻き付けの弛む周方向へずれ動くことが阻止されることになり、差込み突起３ｂを切込み３ｃの下から抜き出さない限り、巻き付けが外れることはない。なお、図示されていないが、リストバンド３の裏面には、上記バンド装着手順がイラストで表記されている。
【００４５】
〔避難者カード４〕
図９に、第３の案内表示部Ｆに置かれる避難者カード４の一例が示されている。この避難者カード４には、記入日、地域住民であるか否かを問うチェックボックス、避難の状況の記入欄、ペットの有無を問うチェック欄、氏名、年齢、備考、などの記入欄、住所の記入欄、電話番号の記入欄、安否の問い合わせに情報を公開しても良いか否かのチェック欄、緊急連絡先の記入欄、等が備えられている。
【００４６】
なお、記入欄やチェック欄が白地になっているのに対して、質問項目の欄は薄く着色されており、これによって記入あるいはチェックを入れる箇所が一目で判るようになっている。
【００４７】
この避難者カード４は、受付けを終了した後、受付け以外の場所で記入すればよいので、受付けでの避難者の流れを阻害することがない。
【００４８】
また、この避難者カード４は、文字記入する項目を必要最小限にとどめ、○（まる）をつけるだけで済む項目を多くするようにしている。これによって、記入にかかる時間的負担や精神的負担が軽くなるよう工夫されている。
【００４９】
〔記入案内ファイル５〕
図１に示される記入案内ファイル５は、日本語が判読できない外国人の被災者が、日本語による上記避難者カード４に記入できるよう補助的に用意されたものである。この記入案内ファイル５は、必要に応じてスタッフから避難者カード４と共に、手渡される。
【００５０】
図１０に、英語訳仕様の記入案内ファイル５の一例が示されている。この記入案内ファイル５は、上記避難者カード４より一回り大きい寸法の樹脂シートを二つ折りしたものである。この記入案内ファイル５の上シート５ａと下シート５ｂとの間に、日本語の上記避難者カード４を挟み込み、上シート５ａに形成した切欠き窓８から避難者カード４への記入を行うようになっている。
【００５１】
詳述すると、図１１に示すように、下シート５ｂの下端近くには、横長の係止片９が切込み形成されると共に、下シート５ｂの上下左右に、避難者カード４の大きさに合わせた鉤形の位置合せ用の見当マーク１０が付されている。図１２に示すように、係止片９の下に避難者カード４の下端辺を差し込むと共に、避難者カード４の四隅を上下左右の見当マーク１０に合わせることで、避難者カード４を位置決めして下シート５ｂに保持させることができる。
【００５２】
下シート５ｂに避難者カード４を位置決め保持した状態で、上シート５ａを避難者カード４の上に重ねることで、上シート５ａに形成した各切欠き窓８が避難者カード４の各記入欄に合致する。また、上シート５ａの避難者カード４に対する重複領域は不透明となっており、上シート５ａを避難者カード４の上に重ねることで、避難者カード４における各種記入項目の日本語表記が隠され、ここに外国語に翻訳した記入項目が、図１０に示すように印刷表記されている。
【００５３】
従って、外国人の避難者は、外国語で表記された記入項目の質問内容を判読して、日本語で表記された避難者カード４の記入欄に正しい内容で記入することができる。
【００５４】
なお、記入案内ファイル５の下シート５ｂは、上シート５ａよりも上方に延出されており、この延出部の左側に翻訳仕様を示す外国語見出しが表記されると共に、その右側には、記入案内ファイル５の使い方がイラストで表記されている。また、翻訳仕様を示す外国語見出しや表記される外国語は、翻訳する外国語に応じて色分けされており、どの外国語の翻訳仕様であるかを容易に区別できるようにしている。
【００５５】
記入案内ファイル５は、あらゆる国に対応しておくことが望ましいが、現在の日本での外国人の居留人数等を考慮すると、英語、中国語、韓国語の翻訳仕様のものを用意しておくことで、凡そ対応できるものと思われる。
【００５６】
〔パッケージ６〕
図１に示されるパッケージ６は、紙材を箱形に組み上げたものであり、その一方の主面（裏面）にはセット名などが印刷されると共に、他方の主面（表面）及び上下左右の側面には「回収ボックス」の文言と案内番号「４」が表記されている。また、図２中に示すように、裏面における「回収ボックス」の文言の下には、避難者カード４の横幅より長い横長の開口部１１を折込み（あるいは、折り出し）形成することが可能となっている。従って、このパッケージ６は、上記の各種アイテムを収容して運搬及び保管に用いると共に、アイテムを取り出した後の空のパッケージ６を、例えば、図２中に示すように、裏面を上にして、例えば、テーブル上に置くことで、記入された避難者カード４を開口部１１に投入回収する回収ボックスとして使用することができるようになっている。
【００５７】
受付けセットＳは以上のように構成されている。避難所での受付け開設にあたって、避難所スタッフは、搬入したパッケージ６を開いて収納したアイテムを取出す。避難所スタッフは、取り出したアイテムを、図２に示すように、テーブル７の上に案内表示シート１を横長に広げて載置すると共に、案内表示シート１における左端の看板表示部Ａを折り下げてテーブル７の端部に垂れ下げる。次に、第１の案内表示部Ｂに入館者名簿２と筆記具、第２の案内表示部Ｄにリストバンド３、第３の案内表示部Ｆに避難者カード４をそれぞれ置き、これで受付けの開設が完了する。
【００５８】
受付けに来た被災者は、先ず、案内番号「１」が表記された第１の案内表示部Ｂの前に立ち、表記された案内事項を読んで入館者名簿２に必要事項を記入する。次に、順路表示部Ｃの指示に従って案内番号「２」が表記された第２の案内表示部Ｄの前に移動し、表記された案内事項に従ってリストバンド３を受け取る。次に、順路表示部Ｅの指示に従って案内番号「３」が表記された第３の案内表示部Ｆの前に移動し、表記された案内事項に従って避難者カード４と筆記具を受け取って受付けから離れる。次に、受付け以外の場所、例えば、受付け近くの適所に設置されたテーブルなどで所要事項の記入を行い、記入した避難者カード４を、回収ボックス（パッケージ）６の開口部１１に投入する。これで入館手続きが完了し、その後、スタッフの指示に従って所定の安全な場所へ移動する。
【００５９】
日本語の判らない外国人避難者は、避難者カード４の他に、所望言語の記入案内ファイル５を受け取って必要事項を記入して、避難者カード４を回収ボックス（パッケージ）６に投入する。また、使用済みの記入案内ファイル５を受付けに返却することで、後続の外国人避難者に使い回しすることができる。
【００６０】
なお、避難所の状況によっては、避難者カード４を持って先ず所定の安全な場所へ移動し、落ち着いた状況で避難者カード４への記入を行うこともある。
【００６１】
以上のように、受付けに来た被災者は、案内表示シート１上に付された案内番号順に移動してゆくのであるが、一つの案内表示部の横幅とその右側の順路表示部の横幅とを合せた横幅は、人が立つのに十分足りる大きさである。したがって、テーブル７の前に立った、例えば３人の被災者が三つ案内表示部Ｂ，Ｄ．Ｆにおいて互いにぶつかることなく並んで所定の手続きを行い、一列で順次右方に入れ替わり移動してゆくことになる。
【００６２】
受付スタッフが、他の用事で持ち場を離れ、受付にスタッフがいない状態であっても、上記のように、案内表示シート１には、各案内表示部Ｂ，Ｄ，Ｆには、行動を案内するための案内事項とその順番を示す案内番号が表記されていると共に、名簿やリストバンド等が載置されており、更に、順路表示部Ｃ，Ｅには、次に行うべき案内番号及び順路を示す矢印が表記されているので、避難所に来た人は、案内表示シート１に表記された内容を読んで、受付けに必要な手続きをとることも可能である。
【００６３】
［その他の実施形態］
本発明は、以下のような形態で実施することもできる。
【００６４】
（１）案内表示シート１は、筒状に巻き込んでパッケージ６に収容するようにしてもよい。
【００６５】
（２）各案内表示部Ｂ，Ｄ，Ｆの横幅を、人が立てるに足る程度の大きいものにして、順路表示部Ｃ，Ｅ，Ｇを省略することもできる。この場合、各案内表示部Ｂ，Ｄ，Ｆにはそれぞれ案内番号を表記すると共に、順路を示す矢印を表記しておくとよい。
【００６６】
（３）各種色のリストバンドに代えて、衣服の上から貼付け可能なワッペンや、首掛け紐のついた認識カードを配布するようにしてもよい。
【００６７】
（４）繰り返し使い回す記入案内ファイル５は樹脂シート製が望ましいが、丈夫な紙シートを用いて製作してもよい。
【００６８】
（５）上記実施形態に示した案内表示シート１は、避難所で受付けを開設する際のアイテムとしての仕様としているが、仕様を適宜変更することで、各種イベント会場などにおける受付け開設に応用することも可能である。
【符号の説明】
【００６９】
１          案内表示シート
２          入館者名簿
３          リストバンド
４          避難者カード
５          記入案内ファイル
６          パッケージ
Ａ          看板表示部
Ｂ，Ｄ，Ｆ  案内表示部
Ｃ，Ｅ，Ｇ  順路表示部
【図１】
2019133062.tif 000003
【図２】
2019133062.tif 000004
【図３】
2019133062.tif 000005
【図４】
2019133062.tif 000006
【図５】
2019133062.tif 000007
【図６】
2019133062.tif 000008
【図７】
2019133062.tif 000009
【図８】
2019133062.tif 000010
【図９】
2019133062.tif 000011
【図１０】
2019133062.tif 000012
【図１１】
2019133062.tif 000013
【図１２】
2019133062.tif 000014